(57)【要約】【課題】第１のチューナと第２のチューナとの間の高周波遮蔽板を不要とし、大きさ及び組立に要求される組立工数を低減可能なテレビジョン放送受信装置を提供する。【解決手段】この発明の１つの実施の形態であるテレビジョン放送受信装置は、第１の放送波を復調する第１のチューナ部と、第２の放送波を復調する第２のチューナ部と、前記第１および第２のチューナ部に対して入力信号を分配する分配器（１８，１９）と、前記分配器を前記第１のチューナ部と前記第２のチューナ部との間に保持した回路基板（７）と、を備え、前記回路基板上で、同一方向に沿って、前記第１のチューナ部、前記分配器、前記第２のチューナ部が順に配置されたことを特徴とする。【選択図】図３
2010063138.tif 000002
【特許請求の範囲】
【請求項１】
第１の放送波を復調する第１のチューナ部と、
第２の放送波を復調する第２のチューナ部と、
前記第１および第２のチューナ部に対して入力信号を分配する分配器と、
前記分配器を前記第１のチューナ部と前記第２のチューナ部との間に保持した回路基板と、
を備え、
前記回路基板上で、同一方向に沿って、前記第１のチューナ部、前記分配器、前記第２のチューナ部が順に配置されたことを特徴とするテレビジョン放送受信装置。
【請求項２】
第１の放送波を復調する第１のチューナ部と、
第２の放送波を復調する第２のチューナ部と、
前記第１および第２のチューナ部に対して入力信号を分配する分配器と、
前記分配器を前記第１のチューナ部と前記第２のチューナ部との間に保持した回路基板と、
前記回路基板に、前記第１及び第２のチューナ部に対して共通に設けられた制御バスに、制御信号及びクロックを可能とする制御信号入力部と、
前記回路基板に、前記第１及び第２のチューナ部を動作させるために、共通に設けられた電源供給部と、
を備え、
前記回路基板上で、同一方向に沿って、前記第１のチューナ部、前記分配器、前記第２のチューナ部が順に配置されたことを特徴とするテレビジョン放送受信装置。
【請求項３】
前記分配器は、高周波増幅器を含むことを特徴とする請求項１または２記載のテレビジョン放送受信装置。
【請求項４】
前記第１のチューナ部、前記第２のチューナ部および前記分配器に入力信号を入力する入力媒体が接続される方向は、前記回路基板の面に対して平行または直交する方向であることを特徴とする請求項１または２記載のテレビジョン放送受信装置。
【請求項５】
前記第１の放送波もしくは前記第２の放送波に基づく映像信号を再生するモニタ装置を備えたことを特徴とする請求項１または２記載のテレビジョン放送受信装置。
【発明の詳細な説明】
【技術分野】
【０００１】
この発明は、例えばデジタルテレビジョン放送及びアナログテレビジョン放送の双方を受信可能なテレビジョン放送受信装置に関する。
【背景技術】
【０００２】
近年、テレビジョン放送のデジタル化が推進されてきている。これにともない、例えば日本国内においても、放送衛星を用いたＢＳ（broadcasting satellite）放送や通信衛星を用いたＣＳ（communication satellite）放送に加え、地上波（地表波）デジタルテレビジョン放送が開始されている。
【０００３】
なお、デジタルテレビジョン放送を受信するデジタルテレビジョン放送受信装置では、アンテナで受信したＲＦ（radio frequency）信号を中間周波信号に変換し、中間周波信号からＴＳ（transport stream）が得るようにしている。
【０００４】
ところで、放送の多元化すなわちテレビジョン放送の放送波の供給元が増えるに従い、テレビジョン放送の異なるチャンネルを同時に受信したいという需要が高まっている。このため、２つのチューナが組み込まれた方送受信装置も数多く提案されている。
【０００５】
特許文献１には、２つのチューナユニットを、内側面板により分離して単一のケースに収納した電子チューナが開示されている。
【先行技術文献】
【特許文献】
【０００６】
【特許文献１】実用新案登録第３０８３２８１号公報
【発明の概要】
【発明が解決しようとする課題】
【０００７】
特許文献１に開示された電子チューナにおいては、２つのチューナユニットの高周波回路が近接して配置されるため、内側面板すなわち高周波遮蔽板が必要である。また、高周波遮蔽板を用いることにより、各ユニットにおいて共通化可能な要素及び接続端子群も２セット必要となる。
【０００８】
この発明の目的は、第１のチューナと第２のチューナとの間の高周波遮蔽板を削減し、大きさ及び組立に要求される組立工数を低減可能なテレビジョン放送受信装置を提供することである。
【課題を解決するための手段】
【０００９】
この発明は、上記問題点に基づきなされたもので、第１の放送波を復調する第１のチューナ部と、第２の放送波を復調する第２のチューナ部と、前記第１および第２のチューナ部に対して入力信号を分配する分配器と、前記分配器を前記第１のチューナ部と前記第２のチューナ部との間に保持した回路基板と、を備え、前記回路基板上で、同一方向に沿って、前記第１のチューナ部、前記分配器、前記第２のチューナ部が順に配置されたことを特徴とするテレビジョン放送受信装置を提供するものである。
【発明の効果】
【００１０】
この発明によれば、第１のチューナと第２のチューナとの間に設けることが必要とされてきた高周波遮蔽板を削減できる。なお、高周波遮蔽板を用いることにより、高周波成分のアイソレーションを高める場合においても、高周波遮蔽板の大きさや厚さが低減でき、簡素化可能である。また、分配器接続用の同軸ケーブル等が不要となり、コストが低減できる。なお、地上波デジタルテレビジョン／アナログテレビジョン放送を受信する場合、ＶＨＦ〜ＵＨＦまでの受信周波数帯域範囲が広いため、一方のチューナの局部発振器により発振された局部発振周波数の高調波が、他方のチューナの受信帯域に干渉しやすい関係もあり、本提案の分配器の配列が有効である。
【図面の簡単な説明】
【００１１】
【図１】この発明の実施の形態が適用されるテレビジョン放送受信装置に組み込まれるチューナ装置の一例を示す概略図。
【図２】図１に示したチューナ装置におけるシールドケース（外装ケース）の一例を示す概略図。
【図３】図２に示したシールドケース（外装ケース）の別の実施の形態を示す概略図。
【図４】図２に示したシールドケース（外装ケース）の別の実施の形態を示す概略図。
【発明を実施するための最良の形態】
【００１２】
以下、図面を参照して、本発明の実施の形態の一例について説明する。
【００１３】
図１は、例えば空間波あるいは光ファイバ等を介して提供されるデジタルテレビジョン放送及びアナログテレビジョン放送を受信するテレビジョン放送受信装置に組み込まれるチューナ装置、あるいは主としてケーブルテレビジョン放送等に用いられ、外部チューナとして機能するセットトップボックスを示す概略図である。
【００１４】
図１に示すテレビジョン放送受信装置（セットトップボックス）あるいは一体型ダブル受信チューナは、例えば同軸ケーブル（非平衡ケーブル）を介して外部から供給されるテレビジョン放送波または入力信号、すなわちＲＦ（radio frequency）信号が入力される入力端子１１、入力端子１１に入力されたＲＦ信号を第１および第２のチューナ部に対して分配して供給する分配器１、及び分配器１に接続され、任意の放送チャンネルのテレビジョン放送波または入力信号を復調して出力する第１および第２のチューナ部１２，１３を含む。なお、第１および第２のチューナ部１２，１３は、実質的に同一の構成である。また、第１および第２のチューナ部１２，１３には、それぞれ、実質的に同一に構成された第１および第２のデジタル復調器（デジタル中間周波信号復調回路）１４，１５が接続されている。なお、それぞれのデジタル復調器１４，１５は、局部発振器に用いられる水晶発振子１６，１７を含む。
【００１５】
分配器１は、入力端子１１に入力されたＲＦ信号を所定レベルに増幅する高周波（初段）増幅器１８、及び高周波増幅器１８により増幅されたＲＦ信号を、第１および第２のチューナ部に対して分配する分配回路１９を含む。
【００１６】
第１および第２のチューナ部１２，１３は、それぞれ、分配回路１９からのＲＦ信号を所定レベルに増幅する可変利得増幅器２９、可変利得増幅器２９によって増幅されたＲＦ信号に、局部発振器３１において発生された局部発振信号（局部発振周波数）と混合して中間周波信号（中間周波数）を得る混合部３０を含む。
【００１７】
混合部３０から出力された中間周波信号は、アナログテレビジョン放送の受信時には、混合部３０から供給されるアナログ中間周波信号をアナログＳＡＷ（surface acoustic wave）フィルタ３３に導き、デジタルテレビジョン放送の受信時には、混合部３０から供給されるデジタル中間周波信号をデジタルＳＡＷフィルタ３４に導く、デジタル−アナログＩＦ（中間周波）切換回路３２に供給され、アナログテレビジョン信号とデジタルテレビジョン信号のそれぞれにおいて、異なるフィルタに入力される。なお、デジタル−アナログＩＦ切換回路３２へのデジタル／アナログＩＦ切換信号は、後段に説明するが、第１および第２のチューナ部１２，１３に対して共通に設けられた制御バス２２，２３に接続された制御部２０のマイコン２１による制御により、デジタル／アナログＡＧＣ信号ＲＦ（radio frequency）切換回路３６にも同時に供給される。また、個々の要素を動作させるために用いられる５Ｖ（ボルト）および３２Ｖ（ボルト）の電源も、第１および第２のチューナ部１２，１３において共用されている。
【００１８】
アナログＳＡＷフィルタ３３によりフィルタリングされたアナログ中間周波（ＩＦ）信号は、アナログ復調部（アナログ中間周波数（ＩＦ）復調器）３５により復調され、アナログ映像成分及びアナログ音声成分の生成に供される。すなわち、アナログ復調部３５に入力されたアナログ中間周波信号は、アナログ映像成分およびアナログ音声成分として、後段に接続されるアナログ映像処理部／アナログ音声処理部に供給される。また、後段に接続されるアナログ映像処理部／アナログ音声処理部には、それぞれ、映像（ビデオ）を再生するモニタ装置３８や音声（オーディオ）を再生するスピーカ３９あるいは図示しないがスピーカが接続可能なオーディオアンプ等が接続され、映像及び音声が出力される。もちろん、モニタ（ディスプレイ）装置とスピーカが一体に用意されたテレビジョン受像機が接続されてもよいことはいうまでもない。
【００１９】
デジタルＳＡＷフィルタ３４によりフィルタリングされたデジタル中間周波信号は、差動出力増幅器（デジタル中間周波数復調器）３７に供給され、後段に設けられる第１および第２のデジタル復調器１４，１５のうちの対応する復調器よる復調処理を可能とするための差動出力に変換される。
【００２０】
差動出力増幅器３７からの「＋側」及び「−側」の各出力は、それぞれ、デジタル復調器（デジタル中間周波信号復調回路）に入力され、水晶発振子１６（または１７）から出力される動作クロックに基づいて復調され、ＴＳ（transport stream）信号として、後段に出力される。
【００２１】
なお、上述したデジタル／アナログＩＦ切換回路３２、デジタル／アナログＡＧＣ信号切替回路３６、および局部発振器３１は、いずれも制御部２０のマイコン２１からの制御信号に基づき、アナログテレビジョン放送受信時およびデジタルテレビジョン放送受信時に、それぞれ切り換えられる。
【００２２】
なお、図１に示したように、第１及び第２のチューナ部１２，１３を分配器１を中心としてその両側に展開した状態に配列することで、第１のチューナ１２と第２のチューナ１３との間の高周波成分のアイソレーション性能を向上させることができる。これにより、第１のチューナ１２と第２のチューナ１３との間に設けることが必要とされてきた高周波遮蔽板を削減できる。なお、高周波遮蔽板を用いることにより、高周波成分のアイソレーションを高める場合においても、高周波遮蔽板の大きさや厚さが低減でき、簡素化可能である。また、分配器接続用の同軸ケーブル等が不要となり、コストが低減できる。なお、地上波デジタルテレビジョン／アナログテレビジョン放送を受信する場合、ＶＨＦ〜ＵＨＦまでの受信周波数帯域範囲が広いため、一方のチューナの局部発振器により発振された局部発振周波数の高調波が、他方のチューナの受信帯域に干渉しやすい関係もあり、本提案の分配器の配列が有効である。
【００２３】
図２は、図１に示したテレビジョン放送受信装置の外観及び映像出力／音声（オーディオ）出力に用いられるピン（出力端子）群の配列の一例を示す概略図である。なお、図１を用いて説明した要素（構成）と同一の要素（構成）については同じ符号を付して、詳細な説明を省略する。
【００２４】
図２に示す通り、一体型ダブル受信チューナすなわちチューナ装置（セットトップボックス）１は、ＲＦ（radio frequency）信号が入力される入力端子１１を有し、高周波増幅器１８及び分配回路１９を内部に含むシールドケース（分配器シールドケース）２と、シールドケース２の両側に設けられた第１チューナ部シールドケース３及び第２のチューナ部シールドケース４を含む。なお、シールドケース２の所定の位置には、高周波増幅器１８に外部からのテレビジョン放送波または入力信号を供給するための入力端子１１が設けられ、図示しない同軸ケーブル等を介して供給されるＲＦ信号が、高周波増幅器１８に供給される。
【００２５】
第１チューナ部シールドケース３及び第２のチューナ部シールドケース４は、それぞれ詳述しないが、分配器シールドケース２に対し、一体的にあるいは一部を共用するよう配置され、実質的に単一のシールドケースを形成する。なお、各シールドケース相互間の境界部分には、必要に応じて、第１及び第２のチューナ１２，１３相互間における高周波成分を遮蔽する、もしくは高周波成分の影響を減衰する遮蔽板が設けられてもよい。また、シールドケース２、第１チューナ部シールドケース３及び第２のチューナ部シールドケース４が一体に形成される場合には、図３を用いて以下に説明するように、共通のハウジング５（２，３，４）とハウジング５を覆うカバー（蓋部材）６とに区分されてもよい。
【００２６】
図３は、図２に示したシールドケース、第１チューナ部シールドケース及び第２のチューナ部シールドケース、すなわちハウジングからハウジングを覆うカバーを取り除いた状態を示す。
【００２７】
図３に示すように、ハウジング５の内側には、第１及び第２のチューナ１２，１３が一体に配置されるプリント基板７が収容されている。プリント基板７の長さ方向の概ね中央には、分配器１が配置されている。従って、ハウジング５の所定の位置には、例えば同軸ケーブルを介して供給されるテレビジョン放送波あるいは入力信号が入力される入力端子１１が固定されている。なお、入力端子１１は、図４に示すように、カバー６側に設けられてもよい。
【００２８】
ハウジング５の一端側であって、入力端子１１が設けられる側と反対側（図４に示す例では、入力端子１１が設けられる側からプリント基板７の長手方向と直交する幅方向に最も距離を置いたハウジング５の一辺側）には、第１及び第２のチューナ部１２，１３のそれぞれの出力端、ならびに電源線及び制御部２０からの制御信号が供給される制御入力端子が設けられている。
【００２９】
第１及び第２のチューナ部１２，１３のそれぞれの出力端は、図３における左側からピン（ＰＩＮ）番号［ｎ（ｎは自然数）］を用いて概略を説明すると、例えば、第１チューナオーディオ（音声）出力［１］、同ビデオ（映像）出力［２］、同デジタルＩＦ（インタフェース）出力（音声／映像共用差動出力（＋））［３］、同デジタルＩＦ（インタフェース）出力（音声／映像共用差動出力（−））［４］、同デジタルＡＧＣ入力［５］、プリント基板７への５Ｖ電源線［６］、同３２Ｖ電源線［７］、プリント基板７の制御バスへのマイコン２１からのデータ出力（ＳＤＡ）［８］、同制御バスへのクロック出力（ＳＣＬ）［９］、第２チューナデジタルＡＧＣ入力［１０］、同デジタルＩＦ（インタフェース）出力（音声／映像共用差動出力（−））［１１］、同デジタルＩＦ（インタフェース）出力（音声／映像共用差動出力（＋））［１２］、同ビデオ（映像）出力［１３］、及び同オーディオ（音声）出力［１４］が順に配列されている（割り当てられている）。なお、第１チューナデジタルデジタルＩＦ出力［３］，［４］及び第２チューナデジタルデジタルＩＦ出力［１１］，［１２］は、それぞれ、デジタルＴＳ出力［１］とデジタルＴＳ出力［２］に対応することは、図１に示した通りである。
【００３０】
図３に示した各ピンの配列から明らかなように、プリント基板７上において共通の配線パターンを利用可能な各信号線及び電源線を共通化したことにより、プリント基板７に挿入し、例えばはんだ等により固定する必要のあるピンの絶対数を削減でき、チューナ装置の大きさが低減可能となる。また、ピンの数を低減したことに起因して、組立時に要求される時間（工数）が低減可能である。さらに、プリント基板７上の配線パターンも簡素化でき、配線パターンの長さも低減できるため、不要な輻射が生じることも抑制できる。
【００３１】
また、図４に示す通り、入力端子１１とシールドケースとの位置関係は、任意に設定できることはいうまでもない。なお、図４は、図３に示したチューナ装置における入力端子の配列の別の例を示すもので、シールドケース内部の構成（要素）と出力端（ピン）との接続は、実質的に同一であるから詳細な説明は省略する。
【００３２】
以上説明したように、第１のチューナと第２のチューナとの間に設けることが必要とされてきた高周波遮蔽板を削減できる。なお、高周波遮蔽板を用いることにより、高周波成分のアイソレーションを高める場合においても、高周波遮蔽板の大きさや厚さが低減でき、簡素化可能である。また、分配器接続用の同軸ケーブル等が不要となり、コストが低減できる。なお、地上波デジタルテレビジョン／アナログテレビジョン放送を受信する場合、ＶＨＦ〜ＵＨＦまでの受信周波数帯域範囲が広いため、一方のチューナの局部発振器により発振された局部発振周波数の高調波が、他方のチューナの受信帯域に干渉しやすい関係もあり、本提案の分配器の配列が有効である。
【００３３】
また、プリント基板上において共通の配線パターンを利用可能な各信号線及び電源線を共通化したことにより、プリント基板に挿入し、例えばはんだ等により固定する必要のあるピンの絶対数を削減でき、チューナ装置の大きさが低減可能となる。また、ピンの数を低減したことに起因して、組立時に要求される時間（工数）が低減可能である。さらに、プリント基板上の配線パターンも簡素化でき、配線パターンの長さも低減できるため、不要な輻射が生じることも抑制できる。
【００３４】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【符号の説明】
【００３５】
１…分配器、２…（分配器）シールドケース、３…第１チューナ部シールドケース、４…第２チューナ部シールドケース、５…ハウジング、６…カバー（蓋部材）、７…プリント基板、１１…入力端子、１２…第１のチューナ部、１３…第２のチューナ部、１４…第１のデジタル復調器、１５…第２のデジタル復調器、１６，１７…水晶発振子、１８…高周波増幅器、１９…分配回路、２０…制御部、２１…マイコン、２２，２３…制御バス、２９…可変利得増幅器、３０…混合部、３１…局部発振器、３２…デジタル−アナログＩＦ（中間周波）切換回路、３３…アナログＳＡＷフィルタ、３４…デジタルＳＡＷフィルタ、３５…アナログ復調部、３６…デジタル／アナログＡＧＣ信号ＩＦ（中間周波）切換回路、３７…差動出力増幅器（デジタル中間周波数復調器）、３８…モニタ装置、３９…スピーカ装置。
【図１】
2010063138.tif 000003
【図２】
2010063138.tif 000004
【図３】
2010063138.tif 000005
【図４】
2010063138.tif 000006